(57)【要約】【課題】発火を未然に防止し得る二次電池および二次電池モジュールを提供する。【解決手段】二次電池１は、正極２、負極３、セパレータ６および電解液７を備える積層体１０と、積層体１０を内包する外装体８とを有する。外装体８の少なくとも一部に、熱により水を発生する物質（Ａ）および熱により炭化する物質（Ｂ）の少なくとも一方と、樹脂とを含有する部分を備えている。物質（Ａ）は、外装体８の最外層である保護層８３に含まれていることが好ましく、物質（Ｂ）は、外装体８の最内層である樹脂層８２に含まれていることが好ましい。【選択図】図２
2019139930.tif 000002
【特許請求の範囲】
【請求項１】
正極、負極、セパレータおよび電解質を備える積層体と、
該積層体を内包する外装体とを有する二次電池であって、
前記外装体の少なくとも一部に、熱により水を発生する物質（Ａ）および熱により炭化する物質（Ｂ）の少なくとも一方と、樹脂とを含有する部分を備えることを特徴とする二次電池。
【請求項２】
前記外装体は、基材層と、該基材層に対して前記積層体側に設けられた樹脂層と、前記基材層に対して前記積層体と反対側に設けられた保護層とを備えるシート材で構成され、
前記物質（Ａ）は、前記シート材の前記保護層である前記部分に含まれている請求項１に記載の二次電池。
【請求項３】
前記物質（Ａ）は、水酸化物および水和物のうちの少なくとも１種を含む請求項１または２に記載の二次電池。
【請求項４】
前記外装体は、基材層と、該基材層に対して前記積層体側に設けられた樹脂層と、前記基材層に対して前記積層体と反対側に設けられた保護層とを備えるシート材で構成され、
前記物質（Ｂ）は、前記シート材の前記樹脂層である前記部分に含まれている請求項１ないし３のいずれかに記載の二次電池。
【請求項５】
前記物質（Ｂ）は、ベンゼン骨格を有するポリマーを含む請求項１ないし４のいずれかに記載の二次電池。
【請求項６】
前記部分は、さらに難燃剤を含む請求項１ないし５のいずれかに記載の二次電池。
【請求項７】
前記部分に含まれる前記物質（Ａ）または前記物質（Ｂ）の量は、３質量％以上である請求項１ないし６のいずれかに記載の二次電池。
【請求項８】
複数の請求項１ないし７のいずれかに記載の二次電池と、
前記複数の二次電池同士を電気的に接続する電気接続部とを有することを特徴とする二次電池モジュール。
【請求項９】
隣り合う２つの前記二次電池同士の間に配置され、前記物質（Ａ）および前記物質（Ｂ）の少なくとも一方と、樹脂とを含有する部材を有する請求項８に記載の二次電池モジュール。
【請求項１０】
複数の二次電池と、
前記複数の二次電池同士を電気的に接続する電気接続部と、
隣り合う２つの前記二次電池同士の間に配置され、熱により水を発生する物質（Ａ）および熱により炭化する物質（Ｂ）の少なくとも一方と、樹脂とを含有する部材とを有することを特徴とする二次電池モジュール。
【請求項１１】
前記物質（Ａ）は、水酸化物および水和物のうちの少なくとも１種を含む請求項９または１０に記載の二次電池モジュール。
【請求項１２】
前記物質（Ｂ）は、ベンゼン骨格を有するポリマーを含む請求項９ないし１１のいずれかに記載の二次電池モジュール。
【請求項１３】
前記部材は、さらに難燃剤を含む請求項９ないし１２のいずれかに記載の二次電池モジュール。
【請求項１４】
前記部材に含まれる前記物質（Ａ）または前記物質（Ｂ）の量は、３質量％以上である請求項９ないし１３のいずれかに記載の二次電池モジュール。
【請求項１５】
前記部材は、少なくとも１つの前記二次電池を収納する枠体を構成している請求項９ないし１４のいずれかに記載の二次電池モジュール。
【発明の詳細な説明】
【技術分野】
【０００１】
本発明は、二次電池および二次電池モジュールに関する。
【背景技術】
【０００２】
現在、リチウムイオン二次電池の開発が盛んに行われている。リチウムイオン二次電池は、正極、負極、セパレータおよび電解質を有しており、これらが外装体で封止されている。また、リチウムイオン二次電池を軽量化し得ることから、外装体を積層シートで構成することも行われている。
【０００３】
一般的に、積層シートの主要部は、樹脂材料で構成されることから、充放電の繰り返しや熱暴走によりリチウムイオン二次電池が異常に発熱すると、外装体が燃えることがある。この点を解消すべく、外装体の構成材料に難燃剤を混合する提案がされている（例えば、特許文献１参照）。
【先行技術文献】
【特許文献】
【０００４】
【特許文献１】特開２０１５−１７０４６１号公報
【発明の概要】
【発明が解決しようとする課題】
【０００５】
しかしながら、特許文献１に記載の構成では、発火を防止する効果が十分ではなく、さらなる改善が求められている。本発明は、かかる問題点を解決すべくなされたものであり、その目的は、発火を未然に防止し得る二次電池および二次電池モジュールを提供することにある。
【課題を解決するための手段】
【０００６】
このような目的は、下記の（１）〜（１５）の本発明により達成される。
（１）  正極、負極、セパレータおよび電解質を備える積層体と、
該積層体を内包する外装体とを有する二次電池であって、
前記外装体の少なくとも一部に、熱により水を発生する物質（Ａ）および熱により炭化する物質（Ｂ）の少なくとも一方と、樹脂とを含有する部分を備えることを特徴とする二次電池。
【０００７】
（２）  前記外装体は、基材層と、該基材層に対して前記積層体側に設けられた樹脂層と、前記基材層に対して前記積層体と反対側に設けられた保護層とを備えるシート材で構成され、
前記物質（Ａ）は、前記シート材の前記保護層である前記部分に含まれている上記（１）に記載の二次電池。
【０００８】
（３）  前記物質（Ａ）は、水酸化物および水和物のうちの少なくとも１種を含む上記（１）または（２）に記載の二次電池。
【０００９】
（４）  前記外装体は、基材層と、該基材層に対して前記積層体側に設けられた樹脂層と、前記基材層に対して前記積層体と反対側に設けられた保護層とを備えるシート材で構成され、
前記物質（Ｂ）は、前記シート材の前記樹脂層である前記部分に含まれている上記（１）ないし（３）のいずれかに記載の二次電池。
【００１０】
（５）前記物質（Ｂ）は、ベンゼン骨格を有するポリマーを含む上記（１）ないし（４）のいずれかに記載の二次電池。
【００１１】
（６）  前記部分は、さらに難燃剤を含む上記（１）ないし（５）のいずれかに記載の二次電池。
【００１２】
（７）  前記部分に含まれる前記物質（Ａ）または前記物質（Ｂ）の量は、３質量％以上である上記（１）ないし（６）のいずれかに記載の二次電池。
【００１３】
（８）  複数の上記（１）ないし（７）のいずれかに記載の二次電池と、
前記複数の二次電池同士を電気的に接続する電気接続部とを有することを特徴とする二次電池モジュール。
【００１４】
（９）  隣り合う２つの前記二次電池同士の間に配置され、前記物質（Ａ）および前記物質（Ｂ）の少なくとも一方と、樹脂とを含有する部材を有する上記（８）に記載の二次電池モジュール。
【００１５】
（１０）  複数の二次電池と、
前記複数の二次電池同士を電気的に接続する電気接続部と、
隣り合う２つの前記二次電池同士の間に配置され、熱により水を発生する物質（Ａ）および熱により炭化する物質（Ｂ）の少なくとも一方と、樹脂とを含有する部材とを有することを特徴とする二次電池モジュール。
【００１６】
（１１）  前記物質（Ａ）は、水酸化物および水和物のうちの少なくとも１種を含む上記（９）または（１０）に記載の二次電池モジュール。
【００１７】
（１２）  前記物質（Ｂ）は、ベンゼン骨格を有するポリマーを含む上記（９）ないし（１１）のいずれかに記載の二次電池モジュール。
【００１８】
（１３）  前記部材は、さらに難燃剤を含む上記（９）ないし（１２）のいずれかに記載の二次電池モジュール。
【００１９】
（１４）  前記部材に含まれる前記物質（Ａ）または前記物質（Ｂ）の量は、３質量％以上である上記（９）ないし（１３）のいずれかに記載の二次電池モジュール。
【００２０】
（１５）  前記部材は、少なくとも１つの前記二次電池を収納する枠体を構成している上記（９）ないし（１４）のいずれかに記載の二次電池モジュール。
【発明の効果】
【００２１】
本発明によれば、熱により水を発生する物質（Ａ）および熱により炭化する物質（Ｂ）の少なくとも一方を用いるため、二次電池および二次電池モジュールの発火を未然に防止することができる。
【図面の簡単な説明】
【００２２】
【図１】二次電池の構成を模式的に示す斜視図である。
【図２】図１中のＡ−Ａ線断面図である。
【図３】二次電池モジュールの主要部の構成を示す分解斜視図である。
【発明を実施するための形態】
【００２３】
以下、本発明の二次電池および二次電池モジュールについて、添付図面に示す好適実施形態に基づいて詳細に説明する。以下の実施形態では、本発明の二次電池をリチウムイオン二次電池に適用した場合について説明する。
図１は、二次電池の構成を模式的に示す斜視図、図２は、図１中のＡ−Ａ線断面図、図３は、二次電池モジュールの主要部の構成を示す分解斜視図である。
【００２４】
各図では、その特徴を判り易くするために、便宜上、特徴となる部分を拡大して示している場合があり、各構成要素の寸法比率等は、実際とは異なる場合がある。以下に例示される材料、寸法等は一例であって、本発明は、それらに限定されるものではなく、その要旨を変更しない範囲で適宜変更して実施することが可能である。
【００２５】
図１および図２に示す二次電池１は、正極２、負極３、セパレータ６および電解液７を備える積層体１０と、積層体１０を内包（封止）するシート状の外装体８とを備えている。
積層体１０は、さらに、正極２に接合（電気的に接続）された正極タブ４と、負極３に接合（電気的に接続）された負極タブ５とを備えている。
これらのタブ４、５は、積層体１０が外装体８に内包された状態で、外装体８から相反する方向に突出（外部に露出）している。
【００２６】
正極２は、図示しないが、平面視で略矩形状をなすアルミニウム箔で構成された正極集電体と、正極集電体の両面にそれぞれ設けられた正極活物質層とを有している。二次電池１の充電時には、正極集電体が電気を集電して、正極活物質層に供給する。
正極集電体の一部は、正極活物質層から露出しており、この露出部に正極タブ４が接合されている。正極タブ４は、例えば、アルミニウム板等で構成することができる。正極タブ４は、正極集電体と一体的に形成するようにしてもよい。
【００２７】
正極活物質層は、例えば、正極活物質と、導電助剤と、結着剤とを含む正極用スラリーを、正極集電体に塗工することにより形成することができる。
正極活物質としては、特に限定されないが、例えば、一般式「ＬｉＭｘＯｙ（式中、Ｍは金属原子であり、ｘおよびｙは、金属原子Ｍと酸素原子Ｏとの組成比である。）」で表される金属酸リチウム化合物が挙げられる。これらの化合物は、１種を単独でまたは２種以上を組み合わせて用いることができる。
【００２８】
かかる金属酸リチウム化合物の具体例としては、例えば、コバルト酸リチウム（ＬｉＣｏＯ２）、ニッケル酸リチウム（ＬｉＮｉＯ２）、マンガン酸リチウム（ＬｉＭｎ２Ｏ４）等が挙げられる。
前記一般式において、Ｍが複数種の金属原子で構成されてもよい。この場合、金属酸リチウム化合物は、例えば、一般式「ＬｉＭ１ｐＭ２ｑＭ３ｒＯｙ（式中、Ｍ１、Ｍ２およびＭ３は互いに異なる種類の金属原子であり、ｐ、ｑ、ｒおよびｙは、金属原子Ｍ１、Ｍ２およびＭ３と酸素原子Ｏとの組成比である。）」で表される。ｐ＋ｑ＋ｒ＝ｘである。かかる金属酸リチウム化合物の具体例としては、ＬｉＮｉ０．３３Ｍｎ０．３３Ｃｏ０．３３Ｏ２等が挙げられる。
【００２９】
正極活物質には、類似の組成であるオリビン型リン酸鉄リチウム（ＬｉＦｅＰＯ４）を用いることもできる。
導電助剤としては、例えば、アセチレンブラック等が用いられ、結着剤としては、例えば、ポリフッ化ビニリデン樹脂等が用いられる。
【００３０】
負極３は、図示しないが、平面視で略矩形状をなす銅箔で構成された負極集電体と、負極集電体の両面にそれぞれ設けられた負極活物質層とを有している。
負極集電体の一部は、負極活物質層から露出しており、この露出部に負極タブ５が接合されている。負極タブ５は、例えば、ニッケルめっきを施したアルミニウム板等で構成することができる。負極タブ５は、負極集電体と一体的に形成するようにしてもよい。
【００３１】
負極活物質層は、例えば、負極活物質と、結着剤と、必要に応じて導電助剤とを含む負極用スラリーを、負極集電体に塗工することにより形成することができる。
負極活物質としては、特に限定されないが、例えば、炭素粉末、黒鉛粉末のような炭素材料、チタン酸リチウムのような金属酸化物等を用いることができる。
結着剤としては、例えば、ポリフッ化ビニリデン等を用いることができ、導電助剤としては、例えば、アセチレンブラック、カーボンナノチューブ等を用いることができる。
【００３２】
各集電体の平面形状は、図示の構成では、長方形状をなしているが、例えば、正方形状、円形状、楕円形状等であってもよい。
各集電体の平面視での面積（平面積）は、製造すべき二次電池１のサイズに応じて適宜設定されるため、特に限定されないが、５００〜２５００ｍｍ２程度であることが好ましく、７５０〜２０００ｍｍ２程度であることがより好ましい。
各集電体の厚さも、特に限定されないが、１〜７５μｍ程度であることが好ましく、５〜５０μｍ程度であることがより好ましい。
【００３３】
各電極活物質は、粒子状であることが好ましい。この場合、電極活物質の平均粒径は、１〜３０μｍ程度であることが好ましい。
各活物質層の厚さも、特に限定されないが、５〜１００μｍ程度であることが好ましく、１０〜７５μｍ程度であることがより好ましい。
【００３４】
正極２と負極３との間には、セパレータ６が介挿されている。このセパレータ６は、絶縁性を有し、正極２と負極３との短絡を防止する機能および電解液７を保持する機能を有する。
セパレータ６は、電解液７を保持または通過させることが可能であれば、特に限定されず、多孔質膜（粒子集合物）、不織布等で構成することができる。
【００３５】
セパレータ６の構成材料（絶縁材料）としては、例えば、ポリエチレン、ポリプロピレンのようなオレフィン系樹脂、セルロース系樹脂等が挙げられる。
セパレータ６の厚さは、１〜７５μｍ程度であることが好ましく、１〜５０μｍ程度であることがより好ましい。かかる厚さのセパレータ６であれば、絶縁性を十分に確保することができる。
【００３６】
本実施形態では、セパレータ６に電解液７が保持されている。電解液７は、電解質を溶媒に溶解してなる液体である。二次電池１の充放電時には、この電解液７中をリチウムイオンが伝導する。
溶媒には、水分を実質的に含まない（例えば、１００ｐｐｍ未満）非水系溶媒が好適に用いられる。非水系溶媒としては、例えば、プロピレンカーボネート、エチレンカーボネート、ジエチルカーボネート、ジメチルカーボネート、メチルエチルカーボネート、ジメトキシエタン、γ−ブチロラクトン、酢酸メチル、蟻酸メチル、トルエン、ヘキサン等が挙げられる。これらの溶媒は、１種を単独でまたは２種以上を組み合わせて用いることができる。
【００３７】
電解質としては、例えば、六フッ化リン酸リチウム、過塩素酸リチウム、四フッ化ホウ酸リチウムのようなリチウム塩等を好適に使用することができる。
電解液７中の電解質の濃度は、特に限定されないが、０．０１〜１Ｍ程度であることが好ましく、０．０５〜０．７５Ｍ程度であることがより好ましく、０．１〜０．５Ｍ程度であることがさらに好ましい。
【００３８】
電解液７は、ゲル化剤の添加によりゲル状をなしていてもよい。ゲル化剤としては、例えば、アセトニトリルのようなニトリル系化合物、テトラヒドロフランのようなエーテル系化合物、ジメチルホルムアミドのようなアミド系化合物等が挙げられる。これらの化合物は、１種を単独でまたは２種以上を組み合わせて用いることができる。
【００３９】
以上のような積層体１０が外装体８に内包されている。外装体８は、図１および図２に示すように、２枚の可撓性を有するシート材８０を重ね合わせ、その外周部を融着（例えば、熱融着、超音波融着、高周波融着）して形成されたシール部Ｓでシールしてなる。
本実施形態のシート材８０は、図２に示すように、基材層８１と、基材層８１の一方の面に設けられた樹脂層８２と、基材層８１の他方の面（樹脂層８２と反対側の面）に設けられた保護層８３とを備える積層シートで構成されている。換言すれば、樹脂層８２は、基材層８１に対して積層体１０側に設けられ、保護層８３は、基材層８１に対して積層体１０と反対側に設けられている。
【００４０】
基材層８１は、シート材８０に強度を付与する機能および電解液７やガスの透過を阻止する機能を有する。基材層８１の構成材料としては、例えば、アルミニウムまたはアルミニウム合金、ステンレス鋼等が挙げられる。
基材層８１の厚さは、特に限定されないが、９〜１００μｍ程度であることが好ましく、２０〜８０μｍ程度であることがより好ましい。
【００４１】
樹脂層８２は、外装体８（シート材８０）の最内層を構成し、融着されることにより外装体８をシールする機能を有する。樹脂層８２の構成材料（融着可能な材料）としては、例えば、ポリエチレン、ポリプロピレン、エチレン−酢酸ビニル共重合体、アイオノマー、ポリエチレンテレフタレート、ポリブチレンテレフタレート、ポリ塩化ビニル、ポリ塩化ビニリデン、ポリビニルアルコール、エチレン−ビニルアルコール共重合体、ポリスチレン、ポリアクリロニトリル、エチレン−（メタ）アクリル酸共重合体、ポリメチルペンテン等が挙げられる。これらの材料（樹脂）は、１種を単独でまたは２種以上を組み合わせて用いることができる。
【００４２】
樹脂層８２は、前記材料で形成された無延伸のフィルム（特に、無延伸のポリプロピレンフィルム）で構成されていることが好ましい。これにより、樹脂層８２が電解液７により溶解または膨潤することを好適に防止することができる。
樹脂層８２の厚さは、特に限定されないが、３〜２００μｍ程度であることが好ましく、２０〜１００μｍ程度であることがより好ましい。
【００４３】
保護層８３は、外装体８（シート材８０）の最外層を構成し、基材層８１を保護（基材層８１の腐食等を防止）する機能および二次電池１の機械的構造特性を確保する機能を有する。保護層８３の構成材料には、比較的硬質な樹脂材料が用いられる。かかる硬質な樹脂材料としては、例えば、ポリアミド（ナイロン）、アクリル系樹脂、ポリカーボネート、ポリエチレンテレフタレート等が挙げられる。これらの材料（樹脂）は、１種を単独でまたは２種以上を組み合わせて用いることができる。
保護層８３の厚さは、特に限定されないが、５〜５０μｍ程度であることが好ましく、１０〜３０μｍ程度であることがより好ましい。
【００４４】
本実施形態では、外装体８（シート材８０）の少なくとも一部に、熱により水を発生する物質（Ａ）および熱により炭化する物質（Ｂ）の一方または双方を含有する部分を備える。
外装体８が物質（Ａ）および物質（Ｂ）の少なくとも一方を含有すると、充放電の繰り返しや熱暴走により二次電池１が異常に発熱した際に、物質（Ａ）からは水が発生し、物質（Ｂ）は炭化することで、二次電池１が発火することを未然に防止することができる。
【００４５】
物質（Ａ）としては、例えば、水酸化アルミニウム、水酸化マグネシウム、水酸化亜鉛、水酸化コバルト、水酸化カルシウム、水酸化ジルコニウム、水酸化ニッケルのような水酸化物、酸化アルミニウム水和物、硫酸アルミニウム水和物、炭酸ナトリウム水和物、硫酸銅水和物のような水和物等が挙げられる。これらの物質（Ａ）は、１種を単独でまたは２種以上を組み合わせて用いることができる。水酸化物および水和物のうちの少なくとも１種を含む物質（Ａ）は、熱による水の発生効率が高いためである。
中でも、物質（Ａ）は、１５０〜４００℃程度（特に、２００〜３５０℃程度）の温度の熱により水を発生する物質が好ましい。
【００４６】
物質（Ａ）は、外装体８の任意の部分に含まれ得るが、保護層８３に含まれることが好ましい。かかる構成により、異常発熱する二次電池１自体の発火を未然に防止することができる他、隣り合う二次電池１の延焼（類焼）を未然に防止することもできる。
物質（Ａ）は、樹脂層８２の外周部（シール部Ｓとされる部分）を除く部分に含まれてもよい。かかる構成によれば、水の発生により異常発熱する二次電池１内部の冷却が可能である。シート材８０を融着する際に、物質（Ａ）が水を発生しない温度領域で融着を行うと、樹脂層８２同士の接合強度が低下するのを防止することができる。
【００４７】
物質（Ｂ）としては、特に限定されないが、ベンゼン骨格を有するポリマーが好ましい。ベンゼン骨格を有するポリマーを含む物質（Ｂ）は、熱により容易に炭化し得るためである。
かかるベンゼン骨格を有するポリマーとしては、例えば、ビスフェノール型エポキシ樹脂、ノボラック型エポキシ樹脂のようなエポキシ樹脂、ノボラック型フェノール樹脂、レゾール型フェノール樹脂のようなフェノール樹脂、ポリフェニレンサルファイド樹脂、変性ポリフェニレンエーテル樹脂、メラミン樹脂、尿素樹脂、ウレタン樹脂等が挙げられる。これらのポリマーは、１種を単独でまたは２種以上を組み合わせて用いることができる。
中でも、物質（Ｂ）は、異常発熱時に炭化し易いことから、フェノールアラルキル樹脂、フェノールアラルキル型エポキシ樹脂、ビスフェノールＳ型エポキシ樹脂、リン含有エポキシ樹脂、リン含有フェノキシ樹脂、ポリフェニレンサルファイド樹脂、変性ポリフェニレンエーテル樹脂等が好ましい。
【００４８】
物質（Ｂ）は、外装体８の任意の部分に含まれ得るが、樹脂層８２に含まれることが好ましい。かかる構成により、異常発熱する二次電池１自体の発火を未然に防止することができる。
この場合、物質（Ｂ）には、エポキシ樹脂やフェノール樹脂を用いることが好ましい。これにより、物質（Ｂ）自体を接着剤として機能させることができるので、シール部Ｓにおけるシート材８０同士の接合強度を高める効果も得られる。
【００４９】
物質（Ａ）は、粒子状であることが好ましい。これにより、物質（Ａ）の比表面積を増大させることができ、水の発生速度を向上させることができる。また、外装体８の前記部分に均一に分散させることもできる。この場合、物質（Ａ）の平均粒径は、１〜１０μｍ程度であることが好ましく、２〜６μｍ程度であることがより好ましい。
粒子状の物質（Ａ）の一部は、外装体８の表面（外面または内面）に露出していることも好ましい。これにより、二次電池１が異常発熱した際の熱の影響をより受け易くすることができる。
【００５０】
外装体８の前記部分（樹脂層８２または保護層８３）に含まれる物質（Ａ）または物質（Ｂ）の量は、３質量％以上であることが好ましく、５〜３０質量％程度であることがより好ましい。これにより、二次電池１が発火するのを防止する効果をより高めることができる。
外装体８の前記部分に物質（Ａ）および物質（Ｂ）の双方が含まれる場合、それらの量は、例えば次のように設定される。具体的には、物質（Ａ）の量が３質量％以上の場合は、物質（Ｂ）の量が１質量％以上であることが好ましく、５〜２７質量％程度であることがより好ましく、１０〜２５質量％程度であることがさらに好ましい。物質（Ｂ）の量が３質量％以上の場合は、物質（Ａ）の量が１質量％以上であることが好ましく、３〜２７質量％程度であることがより好ましく、７〜２５質量％程度であることがさらに好ましい。
前記部分は、さらに難燃剤を含んでもよい。かかる難燃剤としては、例えば、リン系難燃剤、臭素系難燃剤、難燃性ウレタン樹脂等が挙げられる。物質（Ａ）および物質（Ｂ）の少なくとも一方に加えて難燃剤を含むことにより、二次電池１が発火するのを防止する効果をさらに高めることができる。
【００５１】
以上のようなシート材８０において、基材層８１と樹脂層８２との間および／または基材層８１と保護層８３との間には、各層同士を接着する目的の層、水分の侵入を抑制する目的の層、溶媒の揮発を抑制する目的の層等の少なくとも１つの任意の目的の中間層を設けるようにしてもよい。この場合、この中間層に物質（Ａ）および物質（Ｂ）の少なくとも一方を含有してもよい。
シート材８０が単層シートで構成される場合、シート材８０は、その全体に物質（Ａ）および物質（Ｂ）の少なくとも一方を含有してもよく、面方向の所定の領域に物質（Ａ）および物質（Ｂ）の少なくとも一方を選択的に含有してもよく、厚さ方向の所定の領域に物質（Ａ）および物質（Ｂ）の少なくとも一方を選択的に含有してもよい。
【００５２】
二次電池モジュールは、前述したような二次電池１を複数備えている。
図３に示すように、二次電池モジュールは、積層部２０と電気接続部３０とを備えるモジュール本体４０と、モジュール本体４０を固定する固定部（図示せず）またはモジュール本体４０を収納する収納部（図示せず）とを有している。
積層部２０は、２つの二次電池１をまとめて収納する複数の枠体２２と、最上部に配置された天板２３と、最下部に配置された底板２４とを備えている。
【００５３】
枠体２２、天板２３および底板２４は、それぞれ比較的硬質の樹脂材料で構成されている。かかる樹脂材料としては、特に限定されないが、例えば、ポリカーボネート樹脂、ＡＢＳ樹脂等が挙げられる。
枠体２２は、隣り合う二次電池１を隔離する隔壁部材として機能する。本実施形態では、この枠体２２が熱により水を発生する物質（Ａ）および熱により炭化する物質（Ｂ）の一方または双方を含有している。
【００５４】
枠体２２が物質（Ａ）および物質（Ｂ）の少なくとも一方を含有すると、充放電の繰り返しや熱暴走により二次電池１が異常に発熱し、仮に発火した場合でも、物質（Ａ）からは水が発生し、物質（Ｂ）は炭化することで、隣り合う二次電池１が延焼（類焼）することを未然に防止することができる。
物質（Ａ）または物質（Ｂ）には、前述した物質と同様の物質を用いることができ、これらが枠体２２に含まれる量は、３質量％以上であることが好ましく、５〜３０質量％程度であることがより好ましい。枠体２２は、前記と同様の難燃剤を含んでもよい。
枠体２２は、その全体を樹脂で構成することができる他、金属またはセラミックス製の芯材の表面を樹脂層で被覆して構成することもできる。例えば、枠体２２の全体を樹脂で構成する場合、前記物質（Ａ）または物質（Ｂ）の量は、枠体２２における量である。枠体２２を芯材の表面を樹脂層で被覆して構成する場合、前記物質（Ａ）または物質（Ｂ）の量は、枠体２２の樹脂層における量である。
【００５５】
積層部２０の両端部には、複数の正極タブ４または負極タブ５に電気的に接続されるように、電気接続部３０が設けられている。複数の正極タブ４を電気的に接続する電気接続部３０は、図中省略されている。本実施形態では、複数の二次電池１同士は、電気接続部３０を介して並列に接続されているが、直列に接続されてもよい。
以上のような構成の二次電池モジュールにおいて、外装体８が物質（Ａ）および物質（Ｂ）の少なくとも一方を含有する場合、枠体２２は、物質（Ａ）および物質（Ｂ）の双方を含有しなくてもよく、枠体２２が物質（Ａ）および物質（Ｂ）の少なくとも一方を含有する場合、外装体８は、物質（Ａ）および物質（Ｂ）の双方を含有しなくてもよい。
【００５６】
本実施形態では、枠体２２が物質（Ａ）および物質（Ｂ）の少なくとも一方を含有する部材を構成するが、隣り合う二次電池１同士の間に、物質（Ａ）および物質（Ｂ）の少なくとも一方を含有するシート状の部材を配置（介挿）するようにしてもよい。
天板２３および／または底板２４も、物質（Ａ）および物質（Ｂ）の少なくとも一方を含有してもよい。
【００５７】
以上、本発明の二次電池および二次電池モジュールについて説明したが、本発明は、これらに限定されるものではない。本発明の二次電池および二次電池モジュールは、他の任意の構成を有していてもよいし、同様の機能を発揮する任意の構成と置換されていてもよい。
本発明の二次電池は、リチウムイオン二次電池の他、例えば、銀イオン二次電池等の二次電池に適用することもできる。
【符号の説明】
【００５８】
１          二次電池
１０        積層体
２          正極
３          負極
４          正極タブ
５          負極タブ
６          セパレータ
７          電解液
８          外装体
８０        シート材
８１        基材層
８２        樹脂層
８３        保護層
Ｓ          シール部
２０        積層部
２２        枠体
２３        天板
２４        底板
３０        電気接続部
４０        モジュール本体
【図１】
2019139930.tif 000003
【図２】
2019139930.tif 000004
【図３】
2019139930.tif 000005